【手続補正書】
【提出日】平成27年12月4日(2015.12.4)
【手続補正１】
【補正対象書類名】特許請求の範囲
【補正対象項目名】全文
【補正方法】変更
【補正の内容】
【特許請求の範囲】
【請求項１】
雄端子と雌端子とを接続する端子の接続構造であって、
前記雄端子は、
平板状に形成された雄端子本体と、前記雄端子本体の先端から前記雄端子本体と同一平面上に前記雌端子との接続方向へ向かって延在するタブ端子部と、を有し、
前記雌端子は、
平板状に形成された雌端子本体と、該雌端子本体の先端から前記雌端子本体と同一平面上に前記雄端子との接続方向へ向かって延在する一対の接触端子部と、を有し、
前記雄端子と前記雌端子とが接続されるとき、
前記タブ端子部は、前記雌端子の前記一対の接触端子部の内側面に挟まれて前記内側面に当接し、且つ、該接触端子部が延在する同一平面上に位置し、
前記一対の接触端子部は、該接触端子部の外側面と前記雄端子本体の側面とが面一となるような形状を有する、
ことを特徴とする端子の接続構造。
【請求項２】
前記雄端子が、
前記タブ端子部を挟むように前記雄端子本体の先端に設けられた一対の係合突起を更に有し、
前記雄端子と前記雌端子とが接続されるとき、
前記一対の係合突起の各々が、前記一対の接触端子部の各々の先端部に当接する、
ことを特徴とする請求項１に記載の端子の接続構造。
【請求項３】
前記接触端子部の前記内側面には、互いに対向する方向へ突出する接触部が形成されている、
ことを特徴とする請求項１又は請求項２に記載の端子の接続構造。
【請求項４】
前記雄端子と前記雌端子とが接続されるとき、前記タブ端子部と前記一対の接触端子部との当接箇所、及び、前記一対の係合突起と前記一対の接触端子部との当接箇所が、同一平面上に存在する、
ことを特徴とする請求項２又は請求項３に記載の端子の接続構造。
【請求項５】
前記係合突起が、前記接触端子部の先端部を前記タブ端子部側へ変位させるガイド面部を有する、
ことを特徴とする請求項２〜請求項４の何れか一項に記載の端子の接続構造。
【請求項６】
一対の線路を備えた伝送線路であって、
前記一対の線路の各々は、
雄端子と雌端子との接続点を有し、
前記雄端子は、
平板状に形成された雄端子本体と、前記雄端子本体の先端から前記雄端子本体と同一平面上に前記雌端子との接続方向へ向かって延在するタブ端子部と、を有し、
前記雌端子は、
平板状に形成された雌端子本体と、該雌端子本体の先端から前記雌端子本体と同一平面上に前記雄端子との接続方向へ向かって延在する一対の接触端子部と、を有し、
前記接続点において、
前記タブ端子部は、前記雌端子の前記一対の接触端子部の内側面に挟まれて前記内側面に当接し、且つ、該接触端子部が延在する同一平面上に位置し、
前記一対の接触端子部は、該接触端子部の外側面と前記雄端子本体の側面とが面一となるような形状を有する、
ことを特徴とする伝送線路。
【手続補正２】
【補正対象書類名】明細書
【補正対象項目名】発明の名称
【補正方法】変更
【補正の内容】
【発明の名称】端子の接続構造、及び、伝送経路
【手続補正３】
【補正対象書類名】明細書
【補正対象項目名】０００１
【補正方法】変更
【補正の内容】
【０００１】
本発明は、端子の接続構造及び伝送経路に関する。
【手続補正４】
【補正対象書類名】明細書
【補正対象項目名】０００７
【補正方法】変更
【補正の内容】
【０００７】
本発明は、上述した事情に鑑みてなされたものであり、その目的は、高速ディジタル伝送に対応可能であり且つ良好な電気的特性を得ることが可能な端子の接続構造、及び、そのような伝送経路を提供することにある。
【手続補正５】
【補正対象書類名】明細書
【補正対象項目名】０００８
【補正方法】変更
【補正の内容】
【０００８】
前述した目的を達成するために、本発明に係る端子の接続構造及び伝送経路は、下記（１）〜（６）を特徴としている。
（１）  雄端子と雌端子とを接続する端子の接続構造であって、
前記雄端子は、
平板状に形成された雄端子本体と、前記雄端子本体の先端から前記雄端子本体と同一平面上に前記雌端子との接続方向へ向かって延在するタブ端子部と、を有し、
前記雌端子は、
平板状に形成された雌端子本体と、該雌端子本体の先端から前記雌端子本体と同一平面上に前記雄端子との接続方向へ向かって延在する一対の接触端子部と、を有し、
前記雄端子と前記雌端子とが接続されるとき、
前記タブ端子部は、前記雌端子の前記一対の接触端子部の内側面に挟まれて前記内側面に当接し、且つ、該接触端子部が延在する同一平面上に位置し、
前記一対の接触端子部は、該接触端子部の外側面と前記雄端子本体の側面とが面一となるような形状を有する、
こと。
（２） 前記雄端子が、
前記タブ端子部を挟むように前記雄端子本体の先端に設けられた一対の係合突起を更に有し、
前記雄端子と前記雌端子とが接続されるとき、
前記一対の係合突起の各々が、前記一対の接触端子部の各々の先端部に当接する、
こと。
（３）  上記（２）又は（３）の構成の端子の接続構造であって、
前記接触端子部の前記内側面には、互いに対向する方向へ突出する接触部が形成されている、
こと。
（４）  上記（２）又は（３）の構成の端子の接続構造であって、
前記雄端子と前記雌端子とが接続されるとき、前記タブ端子部と前記一対の接触端子部との当接箇所、及び、前記一対の係合突起と前記一対の接触端子部との当接箇所が、同一平面上に存在する、
こと。
（５）  上記（２）〜（４）の何れか一つの構成の端子の接続構造であって、
前記係合突起が、前記接触端子部の先端部を前記タブ端子部側へ変位させるガイド面部を有する、
こと。
（６） 一対の線路を備えた伝送線路であって、
前記一対の線路の各々は、
雄端子と雌端子との接続点を有し、
前記雄端子は、
平板状に形成された雄端子本体と、前記雄端子本体の先端から前記雄端子本体と同一平面上に前記雌端子との接続方向へ向かって延在するタブ端子部と、を有し、
前記雌端子は、
平板状に形成された雌端子本体と、該雌端子本体の先端から前記雌端子本体と同一平面上に前記雄端子との接続方向へ向かって延在する一対の接触端子部と、を有し、
前記接続点において、
前記タブ端子部は、前記雌端子の前記一対の接触端子部の内側面に挟まれて前記内側面に当接し、且つ、該接触端子部が延在する同一平面上に位置し、
前記一対の接触端子部は、該接触端子部の外側面と前記雄端子本体の側面とが面一となるような形状を有する、
こと。
【手続補正６】
【補正対象書類名】明細書
【補正対象項目名】０００９
【補正方法】変更
【補正の内容】
【０００９】
上記（１）の構成の端子の接続構造では、雄端子と雌端子とが接続されるとき、雄端子のタブ端子部が、雌端子の一対の接触端子部の内側面に挟まれてその内側面に当接し、且つ、接触端子部が延在する同一平面上に位置することになる。更に、一対の接触端子部は、接触端子部の外側面と雄端子本体の側面とが面一となるような形状を有している。そのため、雄端子と雌端子との接触箇所におけるインピーダンス特性が、上述した従来の端子の接続構造に比べ、一様により近い状態となる。この結果、上述した従来の端子の接続構造に比べ、雄端子と雌端子との接触箇所における反射損失が小さく、理想的な状態により近い電気的特性が得られる。よって、本発明の端子の接続構造は、高速ディジタル伝送に対応可能であり且つ良好な電気的特性を得ることが可能である。
上記（２）の構成の端子の接続構造では、雄端子と雌端子とが接続されるとき、雌端子の接触端子部が雄端子の係合突起に当接する。これにより、この当接が無い場合（例えば、タブ端子部と一対の端子接触部との当接のみの場合）に比べ、両端子の接触箇所における端子幅の変動が小さくなる。換言すると、両端子の幅が同一に近いことになる。更に、信号を伝送する電流が、雌端子の接触端子部と雄端子の係合突起とを通過して流れる（換言すると、雄端子と雌端子とを結ぶ直線的な経路を流れる）ことになる。その結果、上述した従来の端子の接続構造に比べ、伝送線路の表面及びエッジを流れる高周波の特性に有利な形状となり、より良好な電気的特性を得られる。
上記（３）の構成の端子の接続構造では、雄端子と雌端子とが接続されるとき、雌端子の接触端子部の内側面に形成された接触部が雄端子のタブ端子部に接触し、良好な導通状態を得ることができる。
上記（４）の構成の端子の接続構造では、雄端子と雌端子とが接続されるとき、タブ端子部と一対の接触端子部との当接箇所、及び、一対の係合突起と一対の接触端子部との当接箇所が、同一平面上に存在する。換言すると、両端子の厚さが同一に近いことになる。その結果、上述した従来の端子の接続構造に比べ、伝送線路の表面及びエッジを流れる高周波の特性に有利な形状となり、より良好な電気的特性を得られる。
上記（５）の構成の端子の接続構造では、雄端子と雌端子とが接続されるとき、係合突起のガイド面部によって雌端子の接触端子部の先端がタブ端子部側へ向けて変位される。これにより、接触端子部がタブ端子部に押し付けられて強く接触することになる。その結果、雄端子と雌端子とがより確実に導通される。
上記（６）の構成の伝送経路では、上記（１）と同様、雄端子と雌端子とが接続されるとき、雄端子のタブ端子部が、雌端子の一対の接触端子部の内側面に挟まれてその内側面に当接し、且つ、接触端子部が延在する同一平面上に位置することになる。更に、一対の接触端子部は、接触端子部の外側面と雄端子本体の側面とが面一となるような形状を有している。そのため、雄端子と雌端子との接触箇所におけるインピーダンス特性が、上述した従来の端子の接続構造に比べ、一様により近い状態となる。この結果、上述した従来の端子の接続構造に比べ、雄端子と雌端子との接触箇所における反射損失が小さく、理想的な状態により近い電気的特性が得られる。別の言い方をすると、本構成の伝送経路では、一対の線路上に端子が存在しない場合と同程度の伝送特性を得られることになる（図１３の右側のグラフも参照。）よって、本発明の伝送経路は、高速ディジタル伝送に対応可能であり且つ良好な電気的特性を得られる。